(57)【要約】  本発明は、本体と、本体に対して相対的に移動可能な蓋とを備え、蓋がパネル、好ましくはガラスもしくはプラスチックのパネルを有し又はパネルからなる、チェスト冷蔵庫及び／又は冷凍庫において、加熱手段が設けられており、この加熱手段により上記パネルが加熱されるチェスト冷蔵庫及び／又は冷凍庫に関する。【選択図】図１
2008540986.tif 000002
【特許請求の範囲】
【請求項１】
本体と、該本体に対して相対的に移動可能な蓋とを備え、上記蓋がパネル、好ましくはガラスもしくはプラスチックのパネルを有し、又は該パネルにより構成されているチェスト冷蔵庫及び／又は冷凍庫において、
加熱手段が備えられており、
上記パネルは、上記加熱手段により加熱されることを特徴とするチェスト冷蔵庫及び／又は冷凍庫。
【請求項２】
請求項１に記載のチェスト冷蔵庫及び／又は冷凍庫において、
上記チェスト冷蔵庫及び／又は冷凍庫の上記本体及び蓋は、接触素子を備えており、
上記加熱手段は、上記接触素子によって電源に接続されることを特徴とするチェスト冷蔵庫及び／又は冷凍庫。
【請求項３】
請求項２に記載のチェスト冷蔵庫及び／又は冷凍庫において、
上記蓋の上記接触素子は、上記蓋の閉じられた状態、又はほぼ閉じられた状態において、上記本体の接触素子と導電接触されていることを特徴とするチェスト冷蔵庫及び／又は冷凍庫。
【請求項４】
請求項２又は３に記載のチェスト冷蔵庫及び／又は冷凍庫において、
１つ以上の接触素子が、位置及び／又は形状が上記蓋の位置に応じて変更可能なように設計されていることを特徴とするチェスト冷蔵庫及び／又は冷凍庫。
【請求項５】
請求項２〜４のいずれか１つに記載のチェスト冷蔵庫及び／又は冷凍庫において、
少なくとも１つの接触素子は、移動可能な接触ピンであることを特徴とするチェスト冷蔵庫及び／又は冷凍庫。
【請求項６】
請求項５に記載のチェスト冷蔵庫及び／又は冷凍庫において、
上記１つ以上の接触ピンは、バネ荷重式であることを特徴とするチェスト冷蔵庫及び／又は冷凍庫。
【請求項７】
請求項２〜６のいずれか１つに記載のチェスト冷蔵庫及び／又は冷凍庫において、
少なくとも１つ接触素子は、プレートであることを特徴とするチェスト冷蔵庫及び／又は冷凍庫。
【請求項８】
請求項５〜７のいずれか１つに記載のチェスト冷蔵庫及び／又は冷凍庫において、
上記チェスト冷蔵庫及び／又は冷凍庫の上記本体又は蓋に、請求項５又は６に記載の２つの接触素子が設けられており、
他方に、請求項７に記載の２つの接触素子が設けられていることを特徴とするチェスト冷蔵庫及び／又は冷凍庫。
【請求項９】
上記請求項１〜８のいずれか１つに記載のチェスト冷蔵庫及び／又は冷凍庫において、
スイッチが備えられており、
上記スイッチは、上記蓋の閉鎖状態においてのみ閉じられ、この閉じられた状態において加熱手段に電力供給する電気回路に電流を流すことを特徴とするチェスト冷蔵庫及び／又は冷凍庫。
【請求項１０】
請求項９に記載のチェスト冷蔵庫及び／又は冷凍庫において、
上記スイッチは、上記チェスト冷蔵庫及び／又は冷凍庫の本体に設けられていることを特徴とするチェスト冷蔵庫及び／又は冷凍庫。
【請求項１１】
上記請求項１〜１０のいずれか１つに記載のチェスト冷蔵庫及び／又は冷凍庫において、
上記加熱手段は、パネルに設けられた加熱箔により形成されていることを特徴とするチェスト冷蔵庫及び／又は冷凍庫。
【発明の詳細な説明】
【技術分野】
【０００１】
本発明は、本体と、本体に対して相対的に移動可能な蓋とを有し、蓋が、パネル、好ましくはガラス又はプラスチックのパネル、を有しているチェスト冷蔵庫及び／又は冷凍庫に関するものである。
【背景技術】
【０００２】
このようなチェスト冷蔵庫及び／又は冷凍庫は、アイスチェストなどの商業用のチェストとして知られている。一般的に、このようなチェストは、冷却及び／又は冷凍される物を入れるための本体を備え、その本体の上面を、好ましくは透明なパネルで好ましくはガラス又はプラスチックのパネルを有している、例えばスライド可能な蓋によって閉じることができる。このようなチェストの１つの欠点は、湿度が高くなると、チェストの比較的冷たい蓋及びそのパネルに、水蒸気が凝結する可能性があることである。蓋のこのような結露は望ましくない。
【発明の開示】
【発明が解決しようとする課題】
【０００３】
したがって、本発明の目的は、蓋のパネルの結露という上記問題が回避されるように、上述のようなチェストを改良することである。
【課題を解決するための手段】
【０００４】
この目的は、請求項１の特徴を有するチェスト冷蔵庫及び／又は冷凍庫により達成される。これによれば、チェストは、パネルを加熱することのできる加熱手段を備えていてもよい。このような方法により、パネルの結露を防止できる。加熱手段の種類及び配置は、所望どおりに広範囲で選択可能である。例えば、電気的に操作される、すなわち通電式加熱手段が設けられていることが考えられる。本発明の有利な一形態では、チェスト冷蔵庫及び／又は冷凍庫の本体及び蓋が、接触素子を備え、この接触素子によって加熱手段が電源に接続され得る。このような形態では、場合によっては更なる切替え素子の起動後に、電流が流れるようにするためには、蓋の１つ以上の接触素子が本体の接触素子に電気的接続される必要がある。接触素子の配置により、蓋が完全に又は少なくともほぼ閉じられた位置にある場合にのみ、接触素子間が導電接続されるような一形態を実現することができる。
【０００５】
したがって、蓋の接触素子は、蓋が閉じられ状態、又は、ほぼ閉じられた状態において本体の接触素子と導電接続されてもよい。
【０００６】
本発明の好ましい形態では、１つ以上の接触素子は、その位置及び／又は形状が、蓋の位置に応じて変更できるように設計されていてもよい。例えば、接触時に、移動され、折り曲げられ、又は張力がかけられる、直線的に移動可能な接触素子や弾性のタブを使用することが考えられる。
【０００７】
本発明の特に有利な形態では、少なくとも１つの接触素子が、移動可能な接触ピンである。１つ以上の接触ピンは、バネ荷重式であってもよい（バネ接点）。１つ以上の接触ピンは、蓋が閉じられた場合には引っ込み、蓋が開かれた場合にはスプリング力によって張り出すものであってもよい。接触素子は、その移動方向が蓋の移動方向に対応するように配置してもよい。したがって、蓋がスライド蓋である場合、接触ピンの移動方向は、蓋をスライド可能な方向に対応するように配置してもよい。
【０００８】
本発明の更なる形態では、少なくとも１つの接触素子がプレートでもよい。例えば、蓋は、該蓋が閉じられた状態で、又は該蓋が閉じたられた状態になる直前で、チェストの本体に設けられた接触ピンと導電接続する１つ以上のプレートを備えていることが考えられる。
【０００９】
したがって、チェスト冷蔵庫及び／又は冷凍庫の本体又は蓋に、請求項５又は６に記載の２つの接触素子が設けられており、他方に請求項７に記載の２つの接触素子が設けられていてもよい。
【００１０】
本発明のさらなる形態では、蓋の閉鎖状態においてのみ閉じられ、この閉じられた状態において加熱手段に電力供給する電気回路に電流を流すスイッチが設けられていてもよい。スイッチは、本体に設けられていることが好ましい。本発明のこのような形態は、蓋の接触素子が本体の接触素子に接続されたときに既に電流の流れが生じるのではなく、好ましくはマイクロスイッチとして設計されているスイッチが起動されたときに初めて電流の流れが生じるという効果をもたらす。
【００１１】
蓋を閉じた後にのみスイッチによって電気回路に電流が流れるということは、接触素子が非常に保護されるという利点を伴っており、このことにより、耐用寿命が相当して延びることになる。
【００１２】
さらに、蓋が閉じた状態においてのみ電流が流れる形態では、安全性が高まる。なぜなら、本発明のこの形態では、好ましくは蓋を閉じてからスイッチが閉じられるので、蓋が閉じられ、且つ、接触素子に接触できなくなってからしか電流が流れないからである。
【００１３】
上述のように、加熱手段の種類は、所望どおりに広範囲で選択可能である。加熱手段は、例えば、通電導体やパネルの加熱箔（ナノコーティング）により形成されてもよい。
【発明を実施するための最良の形態】
【００１４】
本発明のさらなる詳細及び利点を、図に示す実施形態を参照して詳しく説明する。
【００１５】
図１は、チェスト冷蔵庫及び／又は冷凍庫の蓋１０の端部の断面図を示す。蓋１０は、スライド可能に取り付けられており、その閉じられた位置においてチェスト冷蔵庫及び／又は冷凍庫を閉鎖する。蓋１０は、ガラスプレート２０を備え、その右に示す端部に、つかみ用の細長片３０が配置されている。
【００１６】
ガラスプレート２０の上面には、加熱手段としての加熱箔又はナノコーティング２２が設けられている。ナノコーティング２２は、閉鎖領域を形成する蓋１０の端部に設けられている、２つの接触プレート４０と導電接続している。図１から更に分かるとおり、接触プレート４０をナノコーティング２２に接続する導線は、つかみ用の細長片３０の穿孔を通って延びている。
【００１７】
図１は、蓋１０を閉鎖しようとする状態にある、チェスト冷蔵庫及び／又は冷凍庫の本体又は本体のフレームの上側の端部５０をさらに示す。端部５０は、段状の肩部５２を備え、蓋１０が閉じられた状態では、この肩部に蓋１０が載っている。肩部５２の垂直な壁５４には、バネ荷重式の接触ピン６０が設けられており、この接触ピン６０は、本体の端部５０にある筐体に収容されている。接触ピン６０は、水平方向に直線的に移動可能なように設計されており、全ての位置において、接触ピン６０を電源（例えば、１２Ｖｄ．ｃ．）に接続する供給線７０と電気的に接続されている。
【００１８】
図２は、図１の構造を縦断面で示す。図２によれば、電気回路を形成するため、蓋１０は２つの接触プレート４０を備えており、本体の端部５０はバネ荷重式の２つの接触ピン６０を備えている、ということが明らかである。
【００１９】
さらに、図２は、本体の端部５０がマイクロスイッチ８０を備えており、このマイクロスイッチ８０が、蓋１０の閉鎖位置において起動され、電気回路に電流を流すように配置されていることを示す。スイッチ８０は、接触ピン６０の１つを電源に接続する線７２に配置されている。
【００２０】
蓋１０が、図１及び図２に示す位置から右へ、すなわち、その閉鎖状態の方向へ移動すると、蓋１０の２つの接触プレート４０は、チェスト冷蔵庫及び／又は冷凍庫の本体に設けられている接触ピン６０に接触する。これにより、接触ピン６０は、その筐体へと引っ込められる、すなわち、図１及び図２において右へ移動される。しかしながら、電流が流れてガラスプレート２０が加熱されるのは、蓋１０又はそのつかみ用の細長片３０がマイクロスイッチ８０を起動させたときのみであり、これは、蓋１０がその端部位置にはまる場合である。スイッチ８０が起動されると、電気回路に電流が流れ、電流が接触ピン６０又は接触プレート４０を介して、ガラスプレート２０の加熱箔又はナノコーティング２２を流通する。
【図面の簡単な説明】
【００２１】
【図１】蓋を閉鎖しようとする状態にある、チェスト冷蔵庫及び／又は冷凍庫の蓋と、チェスト冷蔵庫及び／又は冷凍庫の本体の部位との断面図である。
【図２】図１に示す蓋と本体の部位との縦断面を示す図である。
【符号の説明】
【００２２】
１０    蓋
２０    ガラスプレート
４０    接触プレート
６０    接触ピン
８０    スイッチ
【図１】
2008540986.tif 000003
【図２】
2008540986.tif 000004
【国際調査報告】
2008540986.tif 000005
2008540986.tif 000006
2008540986.tif 000007
2008540986.tif 000008